(57)【要約】【課題】  照明機器を制御する場合に複数の制御信号を合成処理する際の遅延時間を抑制する。【解決手段】  入力された複数の制御信号をそれぞれ指定サイズに分割して順次格納していく複数の入力リングバッファ２２と、１フレーム分の制御信号をそれぞれ格納する複数のＤＭＸフレームバッファ２４と、入力リングバッファ２２に指定サイズ分の制御信号が格納されたことに応じて、指定サイズ分の制御信号を、ＤＭＸフレームバッファ２４のチャンネルオフセット位置に複製して、ＤＭＸフレームバッファ２４内の１フレーム分の制御信号を更新するフレーム更新部２３と、更新された複数のＤＭＸフレームバッファ２４それぞれに格納された１フレーム分の複数の制御信号から、合成ルールに基づいて、合成制御信号を生成し、複数の照明機器１に出力する出力データ生成部２６とを備えることで実現する。【選択図】  図２
2005216516.tif 000002
【特許請求の範囲】
【請求項１】
所定のチャンネル数の制御信号からなる１フレームを通信単位とする調光制御プロトコルに従った調光制御信号を複数の調光卓から入力し、複数の照明機器に出力する信号合成処理装置において、
前記調光卓のそれぞれから、調光制御信号を入力する入力手段と、
前記入力手段により予め指定された指定サイズの各調光制御信号を入力完了する度に、指定サイズ単位で各調光制御信号を記憶するリングバッファと、
１フレーム単位で各調光制御信号を記憶するフレームバッファと、
前記指定サイズ分の各調光制御信号が前記リングバッファに記憶完了される度に、当該指定サイズ分の各調光制御信号を、予め設定された前記フレームバッファ内のオフセット位置から上書きして記憶させ、次に指定サイズ分の各調光制御信号を前記フレームバッファに上書きして記憶するオフセット位置を設定するフレーム更新手段と、
前記入力手段により入力した調光制御信号と、前記照明機器に出力する調光制御信号との対応関係を示す合成設定情報に基づいて、前記フレーム更新手段により前記フレームバッファに記憶された１フレーム分の複数の調光制御信号から出力用の調光制御信号を作成する信号作成手段と、
前記信号作成手段により作成された出力用の調光制御信号を前記複数の照明機器に出力する出力手段と
を備えることを特徴とする信号合成処理装置。
【請求項２】
所定のチャンネル数の制御信号からなる１フレームを通信単位とする調光制御プロトコルに従った調光制御信号を複数の調光卓から入力し、通信フレームに変換して送信する送信装置と、受信した通信フレームを複数の調光制御信号に再変換し、当該複数の調光制御信号を合成処理して複数の照明機器に出力する受信装置とを備える調光制御システムであって、
前記送信装置は、
前記調光卓のそれぞれから、調光制御信号を入力する入力手段と、
前記入力手段により予め指定された指定サイズの各調光制御信号を入力完了する度に、指定サイズ単位で各調光制御信号を記憶するリングバッファと、
前記指定サイズ分の各調光制御信号が前記リングバッファに記憶完了される度に、当該記憶完了された調光制御信号を生成した前記調光卓を識別する調光卓情報と、前記受信装置で調光制御信号を記憶するオフセット位置を示すオフセット情報とをヘッダ情報として調光制御信号に付加して、前記通信フレームに変換する変換手段と、
前記変換手段によって変換された通信フレームを送信する送信手段とを備え、
前記受信装置は、
前記送信装置から送信された通信フレームを受信する受信手段と、
前記受信手段により１フレーム分の通信データを受信完了する度に、１フレーム単位で通信フレームを記憶する受信バッファと、
１フレーム単位で各調光制御信号を記憶するフレームバッファと、
前記通信フレームが前記受信バッファに記憶完了される度に、通信フレームに含まれる前記指定サイズ分の調光制御信号を、前記調光卓情報に基づく各調光卓ごとに、前記オフセット情報に基づくオフセット位置から上書きして前記フレームバッファに記憶させる再変換手段と、
前記受信手段により受信した調光制御信号と、前記照明機器に出力する調光制御信号との対応関係を示す合成設定情報に基づいて、前記再変換手段により前記フレームバッファに記憶された１フレーム分の複数の調光制御信号から出力用の調光制御信号を作成する信号作成手段と、
前記信号作成手段により作成された出力用の調光制御信号を前記複数の照明機器に出力する出力手段と
を備えることを特徴とする調光制御システム。
【請求項３】
所定のチャンネル数の制御信号からなる１フレームを通信単位とする調光制御プロトコルに従った調光制御信号を複数の調光卓から入力し、通信フレームに変換して送信する送信装置と、受信した通信フレームを複数の調光制御信号に再変換し、当該複数の調光制御信号を合成処理して複数の照明機器に出力する受信装置とを備える調光制御システムであって、
前記送信装置は、
前記調光卓のそれぞれから、調光制御信号を入力する入力手段と、
前記入力手段により予め指定された１フレーム分の各調光制御信号を入力完了する度に、１フレーム単位で各調光制御信号を記憶する送信側フレームバッファと、
前回に前記受信装置に送信された１フレーム分の調光制御信号を、当該調光制御信号を生成した前期調光卓ごと比較調光制御信号として記憶している比較フレームバッファと、
前記１フレーム分の各調光制御信号が前記送信側フレームバッファに記憶完了される度に、前記送信側フレームバッファに格納された１フレーム分の調光制御信号と、前記比較フレームバッファに格納された前記比較調光制御信号とを比較し、前記送信側フレームバッファに格納された前記１フレーム分の調光制御信号が、前記比較フレームバッファに格納された前記比較調光制御信号に対して変化している場合に、前記１フレーム分の調光制御信号に、前記調光制御信号を生成した前記調光卓を識別する調光卓情報をヘッダ情報として付加して、通信フレームに変換する比較手段と、
前記比較手段によって変換された通信フレームを送信する送信手段とを備え、
前記受信装置は、
前記送信装置から送信された通信フレームを受信する受信手段と、
前記受信手段により１フレーム分の通信データを受信完了する度に、１フレーム単位で通信フレームを記憶する受信バッファと、
１フレーム単位で各調光制御信号を記憶する受信側フレームバッファと、
前記通信フレームが前記受信バッファに記憶完了される度に、通信フレームに含まれる前記１フレーム分の調光制御信号を、前記調光卓情報に基づく各調光卓ごとに、前記受信側フレームバッファに記憶させる再変換手段と、
前記受信手段により受信した調光制御信号と、前記照明機器に出力する調光制御信号との対応関係を示す合成設定情報に基づいて、前記再変換手段により前記受信側フレームバッファに記憶された１フレーム分の複数の調光制御信号から出力用の調光制御信号を作成する信号作成手段と、
前記信号作成手段により作成された出力用の調光制御信号を前記複数の照明機器に出力する出力手段と
を備えることを特徴とする調光制御システム。
【請求項４】
所定のチャンネル数の制御信号からなる１フレームを通信単位とする調光制御プロトコルに従った調光制御信号を複数の調光卓から入力し、通信フレームに変換して送信する送信装置と、受信した通信フレームを複数の調光制御信号に再変換し、当該複数の調光制御信号を合成処理して複数の照明機器に出力する受信装置とを備える調光制御システムであって、
前記送信装置は、
前記調光卓のそれぞれから、調光制御信号を入力する入力手段と、
前記入力手段により予め指定された指定サイズ分の各調光制御信号を入力完了する度に、指定サイズ単位で各調光制御信号を記憶するリングバッファと、
前回に前記受信装置に送信された指定サイズ分の調光制御信号を、当該調光制御信号を生成した前期調光卓ごとに比較調光制御信号として記憶している比較バッファと、
前記指定サイズ分の各調光制御信号が前記リングバッファに記憶完了される度に、前記リングバッファに格納された指定サイズ分の調光制御信号と、前記比較バッファに格納された前記比較調光制御信号とを比較し、前記リングバッファに格納された前記指定サイズ分の調光制御信号が、前記比較バッファに格納された前記比較調光制御信号に対して変化している場合に、前記指定サイズ分の調光制御信号に、前記調光制御信号を生成した前記調光卓を識別する調光卓情報と、前記受信装置で調光制御信号を記憶するオフセット位置を示すオフセット情報とをヘッダ情報として付加して、通信フレームに変換する比較手段と、
前記比較手段によって変換された通信フレームを送信する送信手段とを備え、
前記受信装置は、
前記送信装置から送信された通信フレームを受信する受信手段と、
前記受信手段により１フレーム分の通信データを受信完了する度に、１フレーム単位で通信フレームを記憶する受信バッファと、
１フレーム単位で各調光制御信号を記憶するフレームバッファと、
前記通信フレームが前記受信バッファに記憶完了される度に、通信フレームに含まれる前記指定サイズ分の調光制御信号を、前記調光卓情報に基づく各調光卓ごとに、前記オフセット情報に基づくオフセット位置から上書きして前記フレームバッファに記憶させる再変換手段と、
前記受信手段により受信した調光制御信号と、前記照明機器に出力する調光制御信号との対応関係を示す合成設定情報に基づいて、前記再変換手段により前記フレームバッファに記憶された１フレーム分の複数の調光制御信号から出力用の調光制御信号を作成する信号作成手段と、
前記信号作成手段により作成された出力用の調光制御信号を前記複数の照明機器に出力する出力手段と
を備えることを特徴とする調光制御システム。
【請求項５】
所定のチャンネル数の制御信号からなる１フレームを通信単位とする調光制御プロトコルに従った調光制御信号を複数の調光卓から入力し、通信フレームに変換して送信する送信装置と、受信した通信フレームを複数の調光制御信号に再変換し、当該複数の調光制御信号を合成処理して複数の照明機器に出力する受信装置とを備える調光制御システムであって、
前記送信装置は、
前記調光卓のそれぞれから、調光制御信号を入力する入力手段と、
前記入力手段により予め指定された１フレーム分の各調光制御信号を入力完了する度に、１フレーム単位で各調光制御信号を記憶する送信側フレームバッファと、
１フレーム分の調光制御信号のデータパターンと、前記データパターンを識別する識別子とを対にして複数保持する送信側データパターンテーブルと、
前記１フレーム分の調光制御信号が前記送信側フレームバッファに記憶完了される度に、前記送信側データパターンテーブルから、記憶完了された１フレーム分の調光制御信号と合致するデータパターンを検索し、合致するデータパターンが検索された場合には、前記合致したデータパターンを特定する識別子に、送信するデータが識別子であることを示す送信データ情報と、前記調光制御信号を生成した前記調光卓を識別する調光卓情報とをヘッダ情報として付加して通信フレームに変換し、合致するデータパターンが検索されなかった場合には、記憶完了されたされた前記１フレーム分の調光制御信号に、送信するデータが調光制御信号であることを示す送信データ情報と、前記調光制御信号を送信した前記調光卓を識別する調光卓情報とをヘッダ情報として付加して通信フレームに変換する変換手段と、
前記変換手段によって変換された前記通信フレームを送信する送信手段とを備え、
前記受信装置は、
前記送信装置から送信された通信フレームを受信する受信手段と、
前記受信手段により１フレーム分の通信データを受信完了する度に、１フレーム単位で通信フレームを記憶する受信バッファと、
１フレーム単位で各調光制御信号を記憶する受信側フレームバッファと、
前記送信側データパターンテーブルと同一の、１フレーム分の調光制御信号のデータパターンと、前記データパターンを識別する識別子とを対にして複数保持する受信側データパターンテーブルと、
前記通信フレームに含まれる前記送信データ情報から、送信されたデータが識別子であると判定された場合には、当該識別子に対応するデータパターンを前記受信側データパターンから検出し、前記調光卓情報に基づく各調光卓ごとに、検出されたデータパターンを複製して前記受信側フレームバッファを更新し、前記送信データ情報から、送信されたデータが前記調光制御信号であると判定された場合には、前記調光卓情報に基づく各調光卓ごとに、前記通信フレームに含まれる調光制御信号を複製して前記受信側フレームバッファを更新するパターン再変換手段と、
前記受信手段により受信した調光制御信号と、前記照明機器に出力する調光制御信号との対応関係を示す合成設定情報に基づいて、前記パターン再変換手段により前記受信側フレームバッファに記憶された１フレーム分の複数の調光制御信号から出力用の調光制御信号を作成する信号作成手段と、
前記信号作成手段により作成された出力用の調光制御信号を前記複数の照明機器に出力する出力手段と
を備えることを特徴とする調光制御システム。
【請求項６】
所定のチャンネル数の制御信号からなる１フレームを通信単位とする調光制御プロトコルに従った調光制御信号を複数の調光卓から入力し、通信フレームに変換して送信する送信装置と、受信した通信フレームを複数の調光制御信号に再変換し、当該複数の調光制御信号を合成処理して複数の照明機器に出力する受信装置とを備える調光制御システムであって、
前記送信装置は、
前記調光卓のそれぞれから、調光制御信号を入力する入力手段と、
前記入力手段により予め指定された指定サイズ分の各調光制御信号を入力完了する度に、指定サイズ単位で各調光制御信号を記憶するリングバッファと、
指定サイズ分の調光制御信号のデータパターンと、前記データパターンを識別する識別子とを対にして複数保持する送信側データパターンテーブルと、
前記指定サイズ分の調光制御信号が前記リングバッファに記憶完了される度に、前記送信側データパターンテーブルから、記憶完了された指定サイズ分の調光制御信号と合致するデータパターンを検索し、合致するデータパターンが検索された場合には、前記合致したデータパターンを特定する識別子に、送信するデータが識別子であることを示す送信データ情報と、前記調光制御信号を生成した前記調光卓を識別する調光卓情報と、前記受信装置で調光制御信号を記憶するオフセット位置を示すオフセット情報とをヘッダ情報として付加して通信フレームに変換し、合致するデータパターンが検索されなかった場合には、記憶完了された指定サイズ分の調光制御信号に、送信するデータが調光制御信号であることを示す送信データ情報と、前記調光制御信号を送信した前記調光卓を識別する調光卓情報と、前記受信装置で調光制御信号を記憶するオフセット位置を示すオフセット情報とをヘッダ情報として付加して通信フレームに変換する変換手段と、
前記変換手段によって変換された前記通信フレームを送信する送信手段とを備え、
前記受信装置は、
前記送信装置から送信された通信フレームを受信する受信手段と、
前記受信手段により１フレーム分の通信データを受信完了する度に、１フレーム単位で通信フレームを記憶する受信バッファと、
１フレーム単位で各調光制御信号を記憶するフレームバッファと、
前記送信側データパターンテーブルと同一の、指定サイズ分の調光制御信号のデータパターンと、前記データパターンを識別する識別子とを対にして複数保持する受信側データパターンテーブルと、
前記通信フレームに含まれる前記送信データ情報から、送信されたデータが識別子であると判定された場合には、当該識別子に対応するデータパターンを前記受信側データパターンテーブルから検出し、前記調光卓情報に基づく各調光卓ごとに、検出されたデータパターンを複製して前記オフセット情報に基づくオフセット位置から上書きして前記フレームバッファを更新し、前記送信データ情報から、送信されたデータが前記調光制御信号であると判定された場合には、前記調光卓情報に基づく各調光卓ごとに、前記通信フレームに含まれる調光制御信号を複製して前記オフセット情報に基づくオフセット位置から上書きして前記フレームバッファを更新するパターン再変換手段と、
前記受信手段により受信した調光制御信号と、前記照明機器に出力する調光制御信号との対応関係を示す合成設定情報に基づいて、前記パターン再変換手段により前記フレームバッファに記憶された１フレーム分の複数の調光制御信号から出力用の調光制御信号を作成する信号作成手段と、
前記信号作成手段により作成された出力用の調光制御信号を前記複数の照明機器に出力する出力手段と
を備えることを特徴とする調光制御システム。
【請求項７】
一定時間内において、前記調光卓から入力された前記調光制御信号のデータパターンを検出し、各データパターンごとに検出回数をカウントするカウンタと、
前記カウンタによる検出回数が多い前記調光制御信号のデータパターンを、前記送信側データパターンテーブル及び前記受信側データパターンテーブルに登録する登録手段とを備えること
を特徴とする請求項５又は請求項６に記載の調光制御システム。
【請求項８】
一定時間内において、前記調光卓から入力された前記調光制御信号にタイムスタンプを与えるタイプスタンプ付与手段と、
前記タイムスタンプ付与手段によって、タイムスタンプが付与された前記調光制御信号のうち、最も遅いタイムスタンプが付与された前記調光制御信号を、前記データパターンとして、前記送信側データパターンテーブル及び前記受信側データパターンテーブルに登録する登録手段とを備えること
を特徴とする請求項５又は請求項６に記載の調光制御システム。
【発明の詳細な説明】
【技術分野】
【０００１】
本発明は、複数の調光卓からの信号を入力して、複数の照明機器の動作を制御する調光制御システム、当該調光制御システムを構成する信号合成処理装置に関する。
【背景技術】
【０００２】
従来より、ネットワークを利用した調光制御システムとしては、調光卓により照明制御用標準通信方式に準拠したＤＭＸ信号を生成し、調光卓からのＤＭＸ信号を送信装置によりイーサネット（登録商標）などのＬＡＮ（Local Area Network）信号にプロトコル変換し、受信装置にてＬＡＮ信号を受信すると、当該ＬＡＮ信号をＤＭＸ信号に変換して照明機器に送信することにより、照明機器の動作を制御する技術が知られている（下記の特許文献１、特許文献２参照。）。
【０００３】
このような調光制御システムを実現するためのＤＭＸ５１２規格は、ＲＳ−４８５シリアルインタフェースを使って、最大５１２チャンネルで構成されるフレーム単位で通信することなどを規定している。このＤＭＸ５１２規格は業界標準となっており、ＤＭＸ５１２規格に対応した照明機器であれば、どのような照明機器であっても、調光卓から簡便な操作にて制御可能となるシステムを構築することができる。
【０００４】
ＤＭＸ５１２信号の１フレームを構成する５１２個の各チャンネルは、それぞれスタートビット１ｂｉｔ、ストップビット２ｂｉｔを含む８ｂｉｔのデータである。このような５１２個のチャンネルを含むＤＭＸフレームは、フレーム先頭から順番にチャンネル１、チャンネル２、・・・、チャンネル５１２と配列されて伝送される。そして、調光制御システムは、ＤＭＸ信号線に接続された各照明機器について、最大５１２までのチャンネル番号を予め割り当てて、ＤＭＸフレームのどのチャンネルの信号を取り出して、どのチャンネルのデータを何の動作パラメータとして扱うかを予め設定することで、１つのＤＭＸフレームによって同時に複数の照明機器を個別に制御することが可能となる。
【０００５】
また、従来において、複数の照明機器を、複数の調光卓によって同時に制御するような調光制御システムを構築する場合、その配線などが煩雑になってしまうことを回避するために、ＤＭＸ信号の合成処理装置が用いられる。
【０００６】
このＤＭＸ信号の合成処理装置は、複数の調光卓が送信する各ＤＭＸフレームを、予め指定された合成ルールに従って合成処理して新たなＤＭＸフレームを生成して出力することにより、出力したＤＭＸ信号線に繋がる複数の照明機器を制御することを可能としている。
【０００７】
このＤＭＸ信号の合成処理装置は、内部の通信コントローラによって、調光卓から送信されたＤＭＸフレームを、バッファ内に全て取り込み終えた後、ソフトウェアによるデータ合成処理をし、合成処理されたＤＭＸ信号を、前記通信コントローラによって出力するという動作を行っている。
【特許文献１】特開２０００−２７７２６８号公報
【特許文献２】特開２００２−２８９３６５号公報
【発明の開示】
【発明が解決しようとする課題】
【０００８】
しかしながら、ＤＭＸ５１２規格に従ったＤＭＸフレームは、２５０ｋｂｐｓ程度の伝送速度で伝送することが規格によって定められているため、例えば、オフィス等のネットワークインフラであるＬＡＮ規格の１０Ｍｂｐｓや１００Ｍｂｐｓといった伝送速度よりも低速である。
【０００９】
したがって、上述したＤＭＸ信号の合成処理装置において、バッファにフレーム全体を完全に取り込む時間、つまり、調光卓からＤＭＸフレームの先頭を受信してからＤＭＸフレームの合成処理を開始するまでの時間は、無視できないほどの長い時間となってしまう。
【００１０】
例えば、５１２チャンネルからなるＤＭＸフレームでは、最初の第１チャンネルを受信してから最後の第５１２チャンネルを受信するまで２２ｍｓｅｃ程度を要するため、その時間はフレーム先頭の第１チャンネルに対する合成処理を開始するまでの遅延時間になってしまう。
【００１１】
そこで、本発明は、上述したような問題を解決するために案出されたものであり、複数の調光卓によって複数の照明機器を制御する場合に、合成処理による遅延時間を低減することができる信号合成処理装置及び調光制御システムを提供することを目的とする。
【課題を解決するための手段】
【００１２】
本発明に係る信号合成処理装置は、所定のチャンネル数の制御信号からなる１フレームを通信単位とする調光制御プロトコルに従った調光制御信号を複数の調光卓から入力し、複数の照明機器に出力するために、調光卓のそれぞれから、調光制御信号を入力する入力手段と、入力手段により予め指定された指定サイズの各調光制御信号を入力完了する度に、指定サイズ単位で各調光制御信号を記憶するリングバッファと、１フレーム単位で各調光制御信号を記憶するフレームバッファと、指定サイズ分の各調光制御信号がリングバッファに記憶完了される度に、当該指定サイズ分の各調光制御信号を、予め設定されたフレームバッファ内のオフセット位置から上書きして記憶させ、次に指定サイズ分の各調光制御信号をフレームバッファに上書きして記憶するオフセット位置を設定するフレーム更新手段と、入力手段により入力した調光制御信号と、照明機器に出力する調光制御信号との対応関係を示す合成設定情報に基づいて、フレーム更新手段によりフレームバッファに記憶された１フレーム分の複数の調光制御信号から出力用の調光制御信号を作成する信号作成手段と、信号作成手段により作成された出力用の調光制御信号を前記複数の照明機器に出力する出力手段とを備えることにより、上述の課題を解決する。
【００１３】
本発明に係る調光制御システムは、所定のチャンネル数の制御信号からなる１フレームを通信単位とする調光制御プロトコルに従った調光制御信号を複数の調光卓から入力し、送信装置により通信フレームに変換して送信し、受信装置により受信した通信フレームを複数の調光制御信号に再変換し、当該複数の調光制御信号を合成処理して複数の照明機器に出力するために、前記送信装置は、前記調光卓のそれぞれから、調光制御信号を入力する入力手段と、前記入力手段により予め指定された指定サイズの各調光制御信号を入力完了する度に、指定サイズ単位で各調光制御信号を記憶するリングバッファと、前記指定サイズ分の各調光制御信号が前記リングバッファに記憶完了される度に、当該記憶完了された調光制御信号を生成した前記調光卓を識別する調光卓情報と、前記受信装置で調光制御信号を記憶するオフセット位置を示すオフセット情報とをヘッダ情報として調光制御信号に付加して、前記通信フレームに変換する変換手段と、前記変換手段によって変換された通信フレームを送信する送信手段とを備え、前記受信装置は、前記送信装置から送信された通信フレームを受信する受信手段と、前記受信手段により１フレーム分の通信データを受信完了する度に、１フレーム単位で通信フレームを記憶する受信バッファと、１フレーム単位で各調光制御信号を記憶するフレームバッファと、前記通信フレームが前記受信バッファに記憶完了される度に、通信フレームに含まれる前記指定サイズ分の調光制御信号を、前記調光卓情報に基づく各調光卓ごとに、前記オフセット情報に基づくオフセット位置から上書きして前記フレームバッファに記憶させる再変換手段と、前記受信手段により受信した調光制御信号と、前記照明機器に出力する調光制御信号との対応関係を示す合成設定情報に基づいて、前記再変換手段により前記フレームバッファに記憶された１フレーム分の複数の調光制御信号から出力用の調光制御信号を作成する信号作成手段と、前記信号作成手段により作成された出力用の調光制御信号を前記複数の照明機器に出力する出力手段とを備えることにより、上述の課題を解決する。
【００１４】
本発明に係る他の調光制御システムにおいては、前記送信装置は、前記調光卓のそれぞれから、調光制御信号を入力する入力手段と、前記入力手段により予め指定された１フレーム分の各調光制御信号を入力完了する度に、１フレーム単位で各調光制御信号を記憶する送信側フレームバッファと、前回に前記受信装置に送信された１フレーム分の調光制御信号を、当該調光制御信号を生成した前期調光卓ごと比較調光制御信号として記憶している比較フレームバッファと、前記１フレーム分の各調光制御信号が前記送信側フレームバッファに記憶完了される度に、前記送信側フレームバッファに格納された１フレーム分の調光制御信号と、前記比較フレームバッファに格納された前記比較調光制御信号とを比較し、前記送信側フレームバッファに格納された前記１フレーム分の調光制御信号が、前記比較フレームバッファに格納された前記比較調光制御信号に対して変化している場合に、前記１フレーム分の調光制御信号に、前記調光制御信号を生成した前記調光卓を識別する調光卓情報をヘッダ情報として付加して、通信フレームに変換する比較手段と、前記比較手段によって変換された通信フレームを送信する送信手段とを備え、前記受信装置は、前記送信装置から送信された通信フレームを受信する受信手段と、前記受信手段により１フレーム分の通信データを受信完了する度に、１フレーム単位で通信フレームを記憶する受信バッファと、１フレーム単位で各調光制御信号を記憶する受信側フレームバッファと、前記通信フレームが前記受信バッファに記憶完了される度に、通信フレームに含まれる前記１フレーム分の調光制御信号を、前記調光卓情報に基づく各調光卓ごとに、前記受信側フレームバッファに記憶させる再変換手段と、前記受信手段により受信した調光制御信号と、前記照明機器に出力する調光制御信号との対応関係を示す合成設定情報に基づいて、前記再変換手段により前記受信側フレームバッファに記憶された１フレーム分の複数の調光制御信号から出力用の調光制御信号を作成する信号作成手段と、前記信号作成手段により作成された出力用の調光制御信号を前記複数の照明機器に出力する出力手段とを備えることにより、上述の課題を解決する。
【００１５】
本発明に係る他の調光制御システムにおいては、前記送信装置は、前記調光卓のそれぞれから、調光制御信号を入力する入力手段と、前記入力手段により予め指定された指定サイズ分の各調光制御信号を入力完了する度に、指定サイズ単位で各調光制御信号を記憶するリングバッファと、前回に前記受信装置に送信された指定サイズ分の調光制御信号を、当該調光制御信号を生成した前期調光卓ごとに比較調光制御信号として記憶している比較バッファと、前記指定サイズ分の各調光制御信号が前記リングバッファに記憶完了される度に、前記リングバッファに格納された指定サイズ分の調光制御信号と、前記比較バッファに格納された前記比較調光制御信号とを比較し、前記リングバッファに格納された前記指定サイズ分の調光制御信号が、前記比較バッファに格納された前記比較調光制御信号に対して変化している場合に、前記指定サイズ分の調光制御信号に、前記調光制御信号を生成した前記調光卓を識別する調光卓情報と、前記受信装置で調光制御信号を記憶するオフセット位置を示すオフセット情報とをヘッダ情報として付加して、通信フレームに変換する比較手段と、前記比較手段によって変換された通信フレームを送信する送信手段とを備え、前記受信装置は、前記送信装置から送信された通信フレームを受信する受信手段と、前記受信手段により１フレーム分の通信データを受信完了する度に、１フレーム単位で通信フレームを記憶する受信バッファと、１フレーム単位で各調光制御信号を記憶するフレームバッファと、前記通信フレームが前記受信バッファに記憶完了される度に、通信フレームに含まれる前記指定サイズ分の調光制御信号を、前記調光卓情報に基づく各調光卓ごとに、前記オフセット情報に基づくオフセット位置から上書きして前記フレームバッファに記憶させる再変換手段と、前記受信手段により受信した調光制御信号と、前記照明機器に出力する調光制御信号との対応関係を示す合成設定情報に基づいて、前記再変換手段により前記フレームバッファに記憶された１フレーム分の複数の調光制御信号から出力用の調光制御信号を作成する信号作成手段と、前記信号作成手段により作成された出力用の調光制御信号を前記複数の照明機器に出力する出力手段とを備えることにより、上述の課題を解決する。
【００１６】
本発明に係る他の調光制御システムにおいては、前記送信装置は、前記調光卓のそれぞれから、調光制御信号を入力する入力手段と、前記入力手段により予め指定された１フレーム分の各調光制御信号を入力完了する度に、１フレーム単位で各調光制御信号を記憶する送信側フレームバッファと、１フレーム分の調光制御信号のデータパターンと、前記データパターンを識別する識別子とを対にして複数保持する送信側データパターンテーブルと、前記１フレーム分の調光制御信号が前記送信側フレームバッファに記憶完了される度に、前記送信側データパターンテーブルから、記憶完了された１フレーム分の調光制御信号と合致するデータパターンを検索し、合致するデータパターンが検索された場合には、前記合致したデータパターンを特定する識別子に、送信するデータが識別子であることを示す送信データ情報と、前記調光制御信号を生成した前記調光卓を識別する調光卓情報とをヘッダ情報として付加して通信フレームに変換し、合致するデータパターンが検索されなかった場合には、記憶完了されたされた前記１フレーム分の調光制御信号に、送信するデータが調光制御信号であることを示す送信データ情報と、前記調光制御信号を送信した前記調光卓を識別する調光卓情報とをヘッダ情報として付加して通信フレームに変換する変換手段と、前記変換手段によって変換された前記通信フレームを送信する送信手段とを備え、前記受信装置は、前記送信装置から送信された通信フレームを受信する受信手段と、前記受信手段により１フレーム分の通信データを受信完了する度に、１フレーム単位で通信フレームを記憶する受信バッファと、１フレーム単位で各調光制御信号を記憶する受信側フレームバッファと、前記送信側データパターンテーブルと同一の、１フレーム分の調光制御信号のデータパターンと、前記データパターンを識別する識別子とを対にして複数保持する受信側データパターンテーブルと、前記通信フレームに含まれる前記送信データ情報から、送信されたデータが識別子であると判定された場合には、当該識別子に対応するデータパターンを前記受信側データパターンから検出し、前記調光卓情報に基づく各調光卓ごとに、検出されたデータパターンを複製して前記受信側フレームバッファを更新し、前記送信データ情報から、送信されたデータが前記調光制御信号であると判定された場合には、前記調光卓情報に基づく各調光卓ごとに、前記通信フレームに含まれる調光制御信号を複製して前記受信側フレームバッファを更新するパターン再変換手段と、前記受信手段により受信した調光制御信号と、前記照明機器に出力する調光制御信号との対応関係を示す合成設定情報に基づいて、前記パターン再変換手段により前記受信側フレームバッファに記憶された１フレーム分の複数の調光制御信号から出力用の調光制御信号を作成する信号作成手段と、前記信号作成手段により作成された出力用の調光制御信号を前記複数の照明機器に出力する出力手段とを備えることにより、上述の課題を解決する。
【００１７】
本発明に係る他の調光制御システムにおいては、前記送信装置は、前記調光卓のそれぞれから、調光制御信号を入力する入力手段と、前記入力手段により予め指定された指定サイズ分の各調光制御信号を入力完了する度に、指定サイズ単位で各調光制御信号を記憶するリングバッファと、指定サイズ分の調光制御信号のデータパターンと、前記データパターンを識別する識別子とを対にして複数保持する送信側データパターンテーブルと、前記指定サイズ分の調光制御信号が前記リングバッファに記憶完了される度に、前記送信側データパターンテーブルから、記憶完了された指定サイズ分の調光制御信号と合致するデータパターンを検索し、合致するデータパターンが検索された場合には、前記合致したデータパターンを特定する識別子に、送信するデータが識別子であることを示す送信データ情報と、前記調光制御信号を生成した前記調光卓を識別する調光卓情報と、前記受信装置で調光制御信号を記憶するオフセット位置を示すオフセット情報とをヘッダ情報として付加して通信フレームに変換し、合致するデータパターンが検索されなかった場合には、記憶完了された指定サイズ分の調光制御信号に、送信するデータが調光制御信号であることを示す送信データ情報と、前記調光制御信号を送信した前記調光卓を識別する調光卓情報と、前記受信装置で調光制御信号を記憶するオフセット位置を示すオフセット情報とをヘッダ情報として付加して通信フレームに変換する変換手段と、前記変換手段によって変換された前記通信フレームを送信する送信手段とを備え、前記受信装置は、前記送信装置から送信された通信フレームを受信する受信手段と、前記受信手段により１フレーム分の通信データを受信完了する度に、１フレーム単位で通信フレームを記憶する受信バッファと、１フレーム単位で各調光制御信号を記憶するフレームバッファと、前記送信側データパターンテーブルと同一の、指定サイズ分の調光制御信号のデータパターンと、前記データパターンを識別する識別子とを対にして複数保持する受信側データパターンテーブルと、前記通信フレームに含まれる前記送信データ情報から、送信されたデータが識別子であると判定された場合には、当該識別子に対応するデータパターンを前記受信側データパターンテーブルから検出し、前記調光卓情報に基づく各調光卓ごとに、検出されたデータパターンを複製して前記オフセット情報に基づくオフセット位置から上書きして前記フレームバッファを更新し、前記送信データ情報から、送信されたデータが前記調光制御信号であると判定された場合には、前記調光卓情報に基づく各調光卓ごとに、前記通信フレームに含まれる調光制御信号を複製して前記オフセット情報に基づくオフセット位置から上書きして前記フレームバッファを更新するパターン再変換手段と、前記受信手段により受信した調光制御信号と、前記照明機器に出力する調光制御信号との対応関係を示す合成設定情報に基づいて、前記パターン再変換手段により前記フレームバッファに記憶された１フレーム分の複数の調光制御信号から出力用の調光制御信号を作成する信号作成手段と、前記信号作成手段により作成された出力用の調光制御信号を前記複数の照明機器に出力する出力手段とを備えることにより、上述の課題を解決する。
【発明の効果】
【００１８】
本発明は、指定サイズ分の調光制御信号が入力されたことに応じて、当該指定サイズ分の調光制御信号のみを更新した１フレーム分の調光制御信号を用いて合成処理を開始し、複数の照明機器を制御する合成調光制御信号を生成するため、１フレーム分の調光制御信号を全て受信してから合成処理をする手法と比較して、合成処理を開始するまでの遅延時間を大幅に抑制することを可能とする。したがって、調光卓からの操作を、複数の照明機器に対して迅速に反映させることが可能となる。
【００１９】
また、本発明は、比較調光制御信号と、入力された調光制御信号とを比較した結果、調光制御信号に変化がない場合には調光制御信号を送信しないようにすることで、調光制御信号の送信量を減少させ、調光制御システムの通信網への負担を低減することを可能とする。
【００２０】
さらに、本発明は、調光制御信号を送信する送信装置と、当該調光制御信号を受信する受信装置とに、調光制御信号のデータパターンと、このデータパターンを一意に特定する識別子とを対応づけて格納したデータパターンテーブルを備え、入力された調光制御信号と一致するデータパターンがある場合には、識別子のみを送信装置から受信装置へと送信することで、調光制御信号の送信量を減少させ、調光制御システムの通信網への負担を低減することを可能とする。
【発明を実施するための最良の形態】
【００２１】
以下、本発明を実施するための最良の形態として、第１実施形態〜第８実施形態について図面を参照して詳細に説明する。
【００２２】
［第１実施形態］
本発明は、図１に示すような第１実施形態に係る調光制御システムに適用される。この調光制御システムは、調光制御用プロトコルとして、例えばＤＭＸ５１２規格を採用し、当該ＤＭＸ５１２規格に従って調光制御を行うためのＤＭＸ信号を生成して、照明機器１を制御する。なお、以下の説明では、各チャンネルに格納される調光制御のための信号を制御信号と呼び、所定数のチャンネルを含む信号をＤＭＸフレームと呼び、当該ＤＭＸフレームを１又は複数含む信号をＤＭＸ信号と呼ぶ。
【００２３】
具体的には、調光制御システムは、複数の調光卓１１Ａ、調光卓１１Ｂ、調光卓１１Ｃ（以下、総称するときには単に調光卓１１と呼ぶ。）がユーザに操作され、ユーザの操作に応じたＤＭＸ信号をＤＭＸ信号線１３Ａ，１３Ｂ，１３Ｃ（以下、総称するときには単にＤＭＸ信号線１３と呼ぶ。）、ＤＭＸパッチ盤１２、ＤＭＸ信号線１４Ａ，１４Ｂ，１４Ｃ，１４Ｄ（以下、総称するときには単にＤＭＸ信号線１４と呼ぶ。）を介して、ＤＭＸ信号線１４Ａ，１４Ｂ，１４Ｃ，１４Ｄにそれぞれ接続された照明機器１Ａ−１〜１Ａ−５１２，照明機器１Ｂ−１〜１Ｂ−５１２，照明機器１Ｃ−１〜１Ｃ−５１２，照明機器１Ｄ−１〜１Ｄ−５１２（以下、総称するときには、単に照明機器１と呼ぶ。）に送信する。これに応じて、調光制御システムでは、各調光卓１１の操作により指定された動作を各照明機器１に実行させることにより、各照明機器１の点灯及び消灯、明るさ調整、照明方向等を制御する。
【００２４】
なお、ＤＭＸ５１２規格は、シリアルインタフェースを使って、最大５１２チャンネルで構成されるフレーム単位のＤＭＸフレームで通信することなどを規定しており、一本のＤＭＸ信号線１４上に接続される照明機器１の数は最大で５１２である。
【００２５】
調光卓１１は、照明機器１の制御内容を決定するための装置であり、決定した制御内容を示す制御信号を各チャンネルに格納したＤＭＸフレームを生成する。この調光卓１１は、例えば、各照明機器１の制御内容や状態などを表示するためのモニタ、ユーザに操作される操作部を備え、操作内容に従って制御信号及びＤＭＸフレームを生成する。具体的には、調光卓１１は、操作部としてスイッチやフェーダなどを備え、これらのスイッチやフェーダなどが操作されることにより、照明制御における標準規格であるＤＭＸ規格に従ったＤＭＸフレームを生成してＤＭＸパッチ盤１２に出力する。
【００２６】
この調光卓１１により生成される制御信号は、照明機器１の動作種類を示すコマンド情報、コマンド情報により示される動作種類を行うときの程度を示す信号等が格納されている。具体的には、コマンド情報は点灯動作、消灯動作、明るさ調整動作、明るさ調整動作における明るさの調整程度を示す。また、ＤＭＸフレームは、シリアルデータとして伝送され、各照明機器１の制御信号がチャンネル番号別のＤＭＸチャンネルに格納される。
【００２７】
図２に、ＤＭＸパッチ盤１２の構成を示す。ＤＭＸパッチ盤１２は、ＤＭＸ信号線１３を介して各調光卓１１から出力されたＤＭＸ信号を入力し、入力されたＤＭＸ信号を合成処理することで、ＤＭＸ信号線１４に接続された各照明機器１を制御するＤＭＸ信号を新たに生成する。
【００２８】
ＤＭＸパッチ盤１２は、各調光卓１１と接続された入力部２１と、入力リングバッファ２２と、フレーム更新部２３と、フレームバッファ２４と、設定データ部２５と、出力データ生成部２６と、出力バッファ２７と、各ＤＭＸ信号線１４と接続された出力部２８とを備えている。
【００２９】
入力部２１は、各調光卓１１からＤＭＸ信号を入力すると、入力したＤＭＸ信号線１３ごとに、入力リングバッファ２２に記憶させることで受信処理を行う。ここで、入力リングバッファ２２は、ＤＭＸ信号線１３Ａ，１３Ｂ，１３Ｃ毎、すなわち本例では調光卓１１毎に独立して領域が区分されたバッファ領域２２ａ，バッファ領域２２ｂ，バッファ領域２２ｃからなる。これに対し、入力部２１は、入力したＤＭＸ信号を送信した調光卓１１を識別して、使用するバッファ領域２２ａ，２２ｂ，２２ｃを切り替えながら、何れかのバッファ領域２２ａ，２２ｂ，２２ｃにＤＭＸ信号を記憶させる。
【００３０】
また、この入力部２１は、例えばユーザにより指定された所定の指定サイズにＤＭＸフレームを分割して入力リングバッファ２２に記憶させる。つまり、入力リングバッファ２２には、１フレーム単位のＤＭＸ信号ではなく、指定サイズ単位のＤＭＸ信号が格納されることになる。
【００３１】
フレームバッファ２４は、１フレーム分のＤＭＸ信号、つまりＤＭＸフレームごとにデータを格納するバッファである。このフレームバッファ２４は、入力部２１によって入力リングバッファ２２に格納された指定サイズ分のＤＭＸ信号を、フレーム更新部２３の制御により上書きされることで、バッファ内のデータ更新がなされる。このフレームバッファ２４は、入力リングバッファ２２と同様に、ＤＭＸ信号線１３Ａ，１３Ｂ，１３Ｃ毎、すなわち本例では調光卓１１毎に独立して領域が区分されたバッファ領域２４ａ，バッファ領域２４ｂ，バッファ領域２４ｃからなる。
【００３２】
フレーム更新部２３は、入力部２１及び入力リングバッファ２２によって指定サイズ分のＤＭＸ信号の受信処理が完了する度に、入力リングバッファ２２内に格納されたデータ、つまり指定サイズ分のＤＭＸ信号を、フレームバッファ２４にコピーする。ここで、フレーム更新部２３は、次にＤＭＸ信号をコピーすべきフレームバッファ２４内のバッファ内アドレスで表現されたチャンネルオフセット位置を記憶している。そして、フレーム更新部２３は、ＤＭＸ信号の受信処理が完了すると、現在入力リングバッファ２２に記憶されているＤＭＸ信号のフレームバッファ２４内でのバッファ内アドレスをチャンネルオフセット位置に基づいて認識してフレームバッファ２４に指定サイズ分のＤＭＸ信号をコピーし、コピーを終えるとチャンネルオフセット位置も記憶し直す。
【００３３】
具体的には、フレーム更新部２３は、図３に示すように、バッファ間、つまり、入力リングバッファ２２のバッファ領域２２ａからフレームバッファ２４のバッファ領域２４ａに指定サイズ分のＤＭＸ信号をコピーする。この具体例では、例えば入力リングバッファ２２のバッファ領域２２ａが、指定サイズの容量に対応した領域２２ａ−１〜２２ａ−６に区分されており、指定サイズ分のＤＭＸ信号が領域２２ａ−１、２２ｂ−２の順の受信処理方向で入力リングバッファ２２に記憶されるものとし、各領域２２ａ−１〜２２ａ−６の容量がフレームバッファ２４の１フレーム分のバッファ領域２４ａの容量よりも小さいものとする。
【００３４】
そして、図３に示すように、入力部２１に入力された指定サイズ分のＤＭＸ信号が、バッファ領域２２ａ内のバッファ領域２２ａ−２に記憶完了したとすると、フレーム更新部２３は、バッファ領域２２ａ−２内に格納された指定サイズ分のＤＭＸ信号を、チャンネルオフセット位置にコピーする。このチャンネルオフセット位置は、先にバッファ領域２２ａ−１に記憶されていたＤＭＸ信号がバッファ領域２４ａに記憶完了された時に更新されたものである。
【００３５】
次に、フレーム更新部２３は、バッファ領域２２ａ−２内のＤＭＸ信号をバッファ領域２４ａにコピー完了すると、コピーが完了されたＤＭＸ信号に続くバッファ内アドレスを新たなチャンネルオフセット位置として記憶する。これにより、フレーム更新部２３は、更新したチャンネルオフセット位置を、次回にバッファ領域２２ａに格納される指定サイズ分のＤＭＸ信号をコピーする際の先頭位置とする。
【００３６】
これにより、フレームバッファ２４は、調光卓１１から送信される指定サイズ分のＤＭＸ信号が、入力部２１を介して入力リングバッファ２２に記憶完了される度に更新されるため、最新の１フレームのＤＭＸフレームが格納されることになる。ＤＭＸパッチ盤１２は、このフレームバッファ２４に格納されたＤＭＸフレームを用いて合成処理をし、照明機器１に供給する合成ＤＭＸ信号となるＤＭＸ出力データを生成することになる。
【００３７】
設定データ部２５は、フレームバッファ２４に記憶された複数のＤＭＸフレームに含まれる任意のチャンネルに格納された制御信号を組み合せる合成処理するための合成ルールとなる合成設定情報を記憶している。この合成設定情報は、ＤＭＸパッチ盤１２で受信する各ＤＭＸ信号と、各ＤＭＸ信号線１４に送出する各ＤＭＸ信号との対応関係が設定されている。具体的には、各調光卓１１から送信されたＤＭＸ信号ごとのチャンネル番号と制御対象となる照明機器１を識別する情報、当該照明機器１が接続されているＤＭＸ信号線１４を識別する情報、ＤＭＸ信号線１４ごとのＤＭＸ出力フレームのチャンネル番号の組み合わせが合成ルールとして設定されている。
【００３８】
出力データ生成部２６は、設定データ部２５の合成ルールに従って、フレームバッファ２４に格納されている複数の最新ＤＭＸフレームから制御信号を取り出して、ＤＭＸ信号線１４ごとに、ＤＭＸ出力フレームとなるチャンネルに格納することで、周期的にＤＭＸ出力データを作成する。さらに、出力データ生成部２６は、作成したＤＭＸ出力データを、設定データ部２５の合成設定情報に従って、各ＤＭＸ信号線１４に対応した出力バッファ２７に記憶させる。
【００３９】
出力バッファ２７は、ＤＭＸ信号線１４Ａ〜１４Ｄに対応した独立したバッファ領域２７ａ，２７ｂ，２７ｃ，２７ｄに区分されて構成され、出力データ生成部２６で作成されたＤＭＸ信号線１４ごとのＤＭＸ出力フレームが格納される。
【００４０】
出力部２８は、出力バッファ２７のバッファ領域２７ａ〜２７ｄのデータを、対応するＤＭＸ信号線１４Ａ〜１４ＤにＤＭＸ出力フレームとして出力し、各ＤＭＸ信号線１４Ａ〜１４Ｄに接続された照明機器１に供給する。
【００４１】
［第１実施形態の効果］
以上詳細に説明したように、本発明を適用した第１実施形態に係る調光制御システムによれば、ＤＭＸパッチ盤１２により、指定サイズ分のＤＭＸ信号を各調光卓１１から受信する度に更新されるフレームバッファ２４内のＤＭＸフレームを用いてＤＭＸ出力フレームを作成する合成処理を行うので、調光卓１１からＤＭＸフレームを全て受信してから合成処理を開始する場合と比較して、合成処理を開始するまでの遅延時間を低減することができる。したがって、この調光制御システムによれば、ユーザが調光卓１１を操作して各照明機器１の制御内容を決定した時刻から、実際に照明機器１が動作する時刻までの時間を短縮することができ、調光卓１１の操作をより短時間で照明機器１の動作に反映させることができる。
【００４２】
［第２実施形態］
つぎに、本発明を適用した第２実施形態に係る調光制御システムについて説明する。なお、上述の実施形態と同様の部分については、同一符号を付することによりその詳細な説明を省略する。
【００４３】
この調光制御システムは、図４に示すように、複数の調光卓１１Ａ、調光卓１１Ｂ、調光卓１１Ｃがユーザに操作され、ユーザの操作に応じた信号をＤＭＸ信号線１３Ａ，１３Ｂ，１３Ｃ、ＤＭＸ送信機３１、ＬＡＮ（Local  Area  Network）信号線３２、ＤＭＸ受信機３３、ＤＭＸ信号線１４Ａ，１４Ｂ，１４Ｃ，１４Ｄを介して、ＤＭＸ信号線１４Ａ，１４Ｂ，１４Ｃ，１４Ｄにそれぞれ接続された照明機器１Ａ−１〜１Ａ−５１２，１Ｂ−１〜１Ｂ−５１２，１Ｃ−１〜１Ｃ−５１２，１Ｄ−１〜１Ｄ−５１２に送信する。
【００４４】
また、この調光制御システムは、所謂イーサネット（登録商標）等の通信プロトコルに従ったＬＡＮパケットを伝送するＬＡＮ信号線３２で接続されており、調光卓１１から送出されたＤＭＸフレームを、ＤＭＸ送信機３１によって、ＬＡＮフレームに格納してＬＡＮ信号線３２を介して送信し、ＤＭＸ受信機３３でＬＡＮフレームを受信し、当該ＬＡＮフレーム内のデータを合成処理してＤＭＸ出力フレームを各照明機器１に出力する。
【００４５】
ＤＭＸ送信機３１は、各調光卓１１からのＤＭＸ信号を入力し、当該ＤＭＸ信号をＬＡＮフレームに変換してＬＡＮ信号線３２に送出する。このＤＭＸ送信機３１は、図５に示すように、ＤＭＸ信号線１３を介して各調光卓１１と接続されたＤＭＸ入力部４１と、入力リングバッファ４２と、変換部４３と、ＬＡＮ送信バッファ４４と、ＬＡＮ信号線３２を介してＤＭＸ受信機３３と接続されたＬＡＮ送信部４５とを備えている。
【００４６】
このＤＭＸ送信機３１は、各調光卓１１からのＤＭＸ信号をＤＭＸ入力部４１で入力すると、第１実施形態における入力部２１と同様に、ＤＭＸ入力部４１により、入力したＤＭＸ信号線１３ごとに、入力リングバッファ４２のバッファ領域４２ａ，バッファ領域４２ｂ，バッファ領域４２ｃに記憶させることで受信処理を行う。これにより、入力リングバッファ４２は、ＤＭＸ信号線１３Ａ，１３Ｂ，１３Ｃ毎にバッファ領域４２ａ，４２ｂ，４２ｃを切り替えながら、何れかのバッファ領域４２ａ，４２ｂ，４２ｃにＤＭＸ信号を記憶させる。また、このＤＭＸ入力部４１は、例えばユーザにより指定された所定の指定サイズにＤＭＸフレームを分割して入力リングバッファ４２に記憶させる。つまり、入力リングバッファ４２には、１フレーム単位のＤＭＸ信号ではなく、指定サイズ単位のＤＭＸ信号が格納されることになる。
【００４７】
変換部４３は、調光卓１１からのＤＭＸ信号をＬＡＮフレームに変換する。具体的には、変換部４３は、ＤＭＸ入力部４１及び入力リングバッファ４２によって指定サイズ分のＤＭＸ信号の受信処理が完了する度に、当該指定サイズ分のＤＭＸ信号にチャンネルオフセット位置を示す情報及び何れかの調光卓１１を識別する調光卓情報をヘッダ情報として付加する。これにより、変換部４３は、ＤＭＸ受信機３３で上述の図３に示したような処理を行うことを可能とする。そして、変換部４３は、ヘッダ情報を付加したＤＭＸ信号をＬＡＮ送信バッファ４４に格納する。
【００４８】
また、変換部４３は、ＤＭＸ信号にチャンネルオフセット位置を示す情報を付加することに応じて、図３に示したようにチャンネルオフセット位置を移動させた新たなチャンネルオフセット位置を設定する。
【００４９】
ＬＡＮ送信部４５は、ＬＡＮ送信バッファ４４にＤＭＸ信号が格納される度に、当該ＤＭＸ信号をＤＭＸ受信機３３に送出する。このとき、ＬＡＮ送信部４５は、ＬＡＮ規格に従って、宛先アドレスをＤＭＸ受信機３３としたヘッダ情報等をＤＭＸ信号に付加することで、チャンネルオフセット位置を示す情報、調光卓情報及び指定サイズ分のＤＭＸ信号を含むＬＡＮフレームを作成する。
【００５０】
ＤＭＸ受信機３３は、ＬＡＮ信号線３２を介してＤＭＸ送信機３１で作成されたＬＡＮフレームを受信し、照明機器１に送出する。このＤＭＸ受信機３３は、図６に示すように、ＬＡＮ信号線３２を介してＤＭＸ送信機３１と接続されたＬＡＮ受信部５１と、ＬＡＮ受信バッファ５２と、再変換部５３と、ＤＭＸフレームバッファ５４と、設定データ部５５と、出力データ作成部５６と、ＤＭＸ出力バッファ５７と、ＤＭＸ信号線１４を介して照明機器１と接続されたＤＭＸ出力部５８とを備えている。
【００５１】
ＬＡＮ受信部５１は、ＬＡＮ信号線３２からＬＡＮフレームを受信すると、当該ＬＡＮフレームが自己を宛先としたＬＡＮフレームであると認識し、ＬＡＮ受信バッファ５２に記憶させる。
【００５２】
ＤＭＸフレームバッファ５４は、１フレーム分のＤＭＸ信号、つまりＤＭＸフレームごとにデータを格納するバッファである。このＤＭＸフレームバッファ５４は、再変換部５３の制御により上書きされることで、バッファ内のデータ更新がなされる。このＤＭＸフレームバッファ５４は、調光卓１１毎に独立して領域が区分されたバッファ領域５４ａ，バッファ領域５４ｂ，バッファ領域５４ｃからなる。
【００５３】
再変換部５３は、ＬＡＮフレームがＬＡＮ受信バッファ５２に記憶させる受信処理が完了する度に、当該ＬＡＮフレームをＬＡＮ受信バッファ５２から取り出し、ＬＡＮフレームをＤＭＸ信号に変換して、ＤＭＸフレームバッファ５４に記憶させる。このとき、再変換部５３は、ＬＡＮ受信バッファ５２から取り出したＬＡＮフレームのデータ部分に格納されている調光卓情報から、ＤＭＸフレームバッファ５４の何れかのバッファ領域５４ａ，５４ｂ，５４ｃにＤＭＸ信号を記憶させるかを認識し、チャンネルオフセット位置を示す情報から調光卓情報に基づいて認識されたバッファ領域内の記憶位置を認識する。これにより、再変換部５３は、指定サイズ分のＤＭＸ信号を、調光卓１１ごとにチャンネルオフセット位置から上書きする。
【００５４】
設定データ部５５、出力データ作成部５６、ＤＭＸ出力バッファ５７及びＤＭＸ出力部５８は、それぞれ、上述の設定データ部２５、出力データ生成部２６、出力バッファ２７及び出力部２８と同様の処理を行う。
【００５５】
すなわち、出力データ作成部５６は、ＤＭＸフレームバッファ５４に記憶された最新の複数のＤＭＸフレームに含まれる任意のチャンネルに格納された制御信号を、設定データ部５５に記憶された合成設定情報に基づいて組み合わせて、周期的にＤＭＸ信号線１４ごとのＤＭＸ出力フレームを作成する。そして、出力データ作成部５６は、各ＤＭＸ信号線１４に対応したＤＭＸ出力バッファ５７のバッファ領域５７ａ，５７ｂ，５７ｃ，５７ｄにＤＭＸ出力フレームを記憶させる。
【００５６】
ＤＭＸ出力部５８は、ＤＭＸ出力バッファ５７のバッファ領域５７ａ〜５７ｄのデータを、対応するＤＭＸ信号線１４Ａ〜１４ＤにＤＭＸ出力フレームとして出力し、各ＤＭＸ信号線１４Ａ〜１４Ｄに接続された照明機器１に供給する。
【００５７】
［第２実施形態の効果］
以上詳細に説明したように、本発明を適用した第２実施形態に係る調光制御システムによれば、ＤＭＸ送信機３１により、調光卓１１から指定サイズ分の制御信号を受信する度にＬＡＮフレームを作成してＬＡＮ信号線３２に送出すると共に、ＤＭＸ受信機３３により、ＬＡＮ信号線３２からＬＡＮフレームを受信する度にＤＭＸ出力フレームを作成するので、１フレーム分のＤＭＸ信号の全てを受信してからＬＡＮフレームを作成する場合や照明機器１に送出する場合と比較して、調光卓１１でＤＭＸ信号を生成した時刻から、実際に照明機器１が動作する時刻までの遅延時間を短縮することができ、調光卓１１の操作をより短時間で照明機器１の動作に反映させることができる。
【００５８】
［第３実施形態］
つぎに、本発明を適用した第３実施形態に係る調光制御システムについて説明する。なお、上述の実施形態と同様の部分については、同一符号を付することによりその詳細な説明を省略する。
【００５９】
第３実施形態に係る調光制御システムは、ＤＭＸ送信機３１により、調光卓１１からのＤＭＸ信号に変化が発生した場合に、ＬＡＮフレームを作成してＤＭＸ受信機３３に送信する点で、第２実施形態に係る調光制御システムとは異なる。すなわち、ＤＭＸ送信機３１は、図７に示すように、入力フレームバッファ６１、比較部６２及び比較フレームバッファ６３を備える。
【００６０】
このＤＭＸ送信機３１は、各調光卓１１からのＤＭＸ信号が入力フレームバッファ６１の各バッファ領域６１ａ，６１ｂ，６１ｃに記憶されて１フレーム分の受信が完了する度に、比較部６２により、入力フレームバッファ６１に記憶されたＤＭＸフレームを読み出す。
【００６１】
比較フレームバッファ６３は、最新のＤＭＸフレームを比較調光制御信号として保存しておくバッファであり、調光卓１１ごとに送出されるＤＭＸ信号に対応したフレームバッファ６３ａ，６３ｂ，６３ｃに区分されている。この比較フレームバッファ６３に記憶されているＤＭＸフレームは、比較部６２により更新される。
【００６２】
比較部６２は、入力フレームバッファ６１にＤＭＸフレームが記憶完了される度に、当該ＤＭＸフレームと比較フレームバッファ６３に記憶されているＤＭＸフレームとを比較する。このとき、比較部６２は、各調光卓１１に対応した入力フレームバッファ６１のＤＭＸフレームと、各調光卓１１に対応した比較フレームバッファ６３のＤＭＸフレームとを比較する。
【００６３】
比較部６２は、比較フレームバッファ６３に格納されたＤＭＸフレームが、比較フレームバッファ６３に格納されたＤＭＸフレームと一致しない場合には、調光卓１１から受信したＤＭＸ出力フレームに変化が発生したと判定する。これに応じて、比較部６２は、入力フレームバッファ６１から読み出したＤＭＸフレームに、当該ＤＭＸフレームを作成した調光卓１１を識別する調光卓情報を付加してＬＡＮ送信バッファ４４に書き込む。このとき比較部６２は、ＬＡＮ送信バッファ４４に書き込むＤＭＸフレームを、比較フレームバッファ６３の対応するバッファ領域に書き込み、比較フレームバッファ６３の更新をする。
【００６４】
これに対し、比較部６２は、比較フレームバッファ６３に格納されたＤＭＸフレームが、比較フレームバッファ６３に格納されたＤＭＸフレームと一致した場合には、ＬＡＮ送信バッファ４４へのＤＭＸフレームの書き込み及び比較フレームバッファ６３の更新を行わない。
【００６５】
ＬＡＮ送信部４５は、ＬＡＮ送信バッファ４４にＤＭＸフレームの書き込みがある度に、当該ＤＭＸフレームにＬＡＮ規格に準拠したヘッダ情報等を付加してＬＡＮフレームを作成して、ＬＡＮ信号線３２を介してＤＭＸ受信機３３に送信する。
【００６６】
このようにして、ＤＭＸ送信機３１から送信されたＬＡＮフレームは、図６を用いて説明したＤＭＸ受信機３３で受信される。ＤＭＸ受信機３３は、ＬＡＮ受信部５１でＬＡＮフレームを受信すると、当該ＬＡＮフレームを一旦ＬＡＮ受信バッファ５２に格納した後に、再変換部５３でＤＭＸフレーム及び調光卓情報が取り出される。そして、再変換部５３は、調光卓情報から送信元の調光卓１１を認識して、当該調光卓１１に対応したＤＭＸフレームバッファ５４のバッファ領域にＤＭＸフレームを書き込む。これにより、ＤＭＸフレームバッファ５４は、最新のＤＭＸフレームに更新される。
【００６７】
このとき、ＬＡＮ受信バッファ５２に格納されたＬＡＮフレームには、１フレーム分のＤＭＸ信号が添付されているため、ＤＭＸフレームバッファ５４内に格納されている１フレーム分のＤＭＸ信号は、全て更新されることになる。
【００６８】
そして、ＤＭＸ受信機３３は、出力データ作成部５６により、ＤＭＸフレームバッファ５４が更新される度に、新たに書き込まれたＤＭＸフレームをＤＭＸフレームバッファ５４から読み出して合成処理を行って、ＤＭＸ出力フレームをＤＭＸ出力バッファ５７に書き込み、ＤＭＸ出力部５８により、何れかのＤＭＸ信号線１４を介して照明機器１に送出される。
【００６９】
［第３実施形態の効果］
以上詳細に説明したように、第３実施形態に係る調光制御システムによれば、比較フレームバッファ６３に格納されているＤＭＸフレームと、調光卓１１から受信した最新のＤＭＸフレームとを比較して、調光卓１１から送出されたＤＭＸフレームに変化があった場合にのみ、ＤＭＸ送信機３１からＤＭＸ受信機３３にＬＡＮフレームを送信するので、ＤＭＸ送信機３１からＤＭＸ受信機３３に送信する情報量を抑制することができ、ネットワークの伝送負担を軽減することができる。
【００７０】
［第４実施形態］
つぎに、第４実施形態に係る調光制御システムについて説明する。なお、上述の実施形態と同様の部分については、同一符号を付することによりその詳細な説明を省略する。
【００７１】
この第４実施形態に係る調光制御システムは、ＤＭＸ送信機３１により、指定サイズ分のＤＭＸ信号を受信完了した時点で比較部７２による比較を行う点で、第３実施形態に係る調光制御システムとは異なる。
【００７２】
このような調光制御システムは、図８に示すように、入力リングバッファ７１に指定サイズ分のＤＭＸ信号を記憶完了すると、比較部７２により記憶完了したＤＭＸ信号を読み出し、当該ＤＭＸ信号と比較バッファ７３に比較調光制御信号として記憶された指定サイズ分のＤＭＸ信号とを比較する。ここで、比較バッファ７３には、前回にＤＭＸ信号を比較バッファ７３に書き込んだ時の記憶位置がチャンネルオフセット位置として記憶されている。
【００７３】
そして、比較部７２は、比較処理を行う場合に、ＤＭＸ信号及びチャンネルオフセット位置を読み出して、チャンネルオフセット位置に相当する指定サイズ分のＤＭＸ信号と、入力リングバッファ７１に記憶された指定サイズ分のＤＭＸ信号とを比較する。比較部７２は、比較した結果、一致している場合にはＬＡＮフレームの送信をせずに、一致していない場合には、入力リングバッファ７１から読み出した指定サイズ分のＤＭＸ信号をＬＡＮ送信バッファ４４記憶させると共に、比較バッファ７３に記憶されているＤＭＸ信号を更新する。
【００７４】
また、比較部７２は、指定サイズ分のＤＭＸ信号をＬＡＮ送信バッファ４４に記憶するに際して、ＤＭＸ受信機３３のＤＭＸフレームバッファ５４のコピー開始位置を特定するチャンネルオフセット位置を示す情報と、当該指定サイズ分のＤＭＸ信号が、どの調光卓１１から送出されたのかを示す調光卓情報とをヘッダ情報と付加してＬＡＮ送信バッファ４４に書き込む。
【００７５】
ＬＡＮ送信部４５は、ＬＡＮ送信バッファ４４にデータの書き込みがある度に、そのデータをＬＡＮフレームに変換して、ＬＡＮ信号線３２を介してＤＭＸ受信機３３に送信する。
【００７６】
このようにして、ＤＭＸ送信機３１から送信されたＬＡＮフレームは、図６を用いて説明したＤＭＸ受信機３３で受信される。ＤＭＸ受信機３３は、ＬＡＮ受信部５１でＬＡＮフレームを受信すると、当該ＬＡＮフレームを一旦ＬＡＮ受信バッファ５２に格納した後に、再変換部５３で指定サイズ分のＤＭＸ信号、調光卓情報及びチャンネルオフセット位置を示す情報が取り出される。そして、再変換部５３は、調光卓情報から送信元の調光卓１１を認識して、チャンネルオフセット位置から、当該調光卓１１に対応したＤＭＸフレームバッファ５４のバッファ領域にＤＭＸ信号を書き込む。
【００７７】
ここで、ＬＡＮ受信バッファ５２に格納されたＬＡＮフレームには、指定サイズのＤＭＸ信号が添付されているため、ＤＭＸフレームバッファ５４内に格納されている１フレーム分のＤＭＸ信号は、チャンネルオフセット位置から始まる一部のデータのみが更新されることになる。
【００７８】
そして、ＤＭＸ受信機３３は、出力データ作成部５６により、ＤＭＸフレームバッファ５４が更新される度に、新たに書き込まれたＤＭＸ信号をＤＭＸフレームバッファ５４から読み出して合成処理を行って、ＤＭＸ出力フレームをＤＭＸ出力バッファ５７に書き込み、ＤＭＸ出力部５８により、何れかのＤＭＸ信号線１４を介して照明機器１に送出される。
【００７９】
［第４実施形態の効果］
以上詳細に説明したように、第４実施形態に係る調光制御システムによれば、比較バッファ７３に格納されている指定サイズ分のＤＭＸ信号と、調光卓１１から受信した最新の指定サイズ分のＤＭＸ信号とを比較して、調光卓１１から送出されたＤＭＸ信号に変化があった場合にのみ、ＤＭＸ送信機３１からＤＭＸ受信機３３にＬＡＮフレームを送信するので、ＤＭＸ送信機３１からＤＭＸ受信機３３に送信する情報量を抑制することができ、ネットワークの伝送負担を軽減することができることに加えて、調光卓１１でＤＭＸ信号を生成してから、ＤＭＸ送信機３１で合成処理を開始するまでの遅延時間を短縮することができる。
【００８０】
［第５実施形態］
つぎに、本発明を適用した第５実施形態に係る調光制御システムについて説明する。なお、上述の実施形態と同様の部分については、同一符号を付することによりその詳細な説明を省略する。
【００８１】
この第５実施形態に係る調光制御システムは、ＤＭＸ送信機３１によりＬＡＮフレームを送信するに際して、調光卓１１からのＤＭＸフレームとデータパターンとを比較して、ＬＡＮ信号線３２に送信するＬＡＮフレームを作成する点で、上述した実施形態に係る調光制御システムとは異なる。すなわち、ＤＭＸ送信機３１は、図９に示すように、パターン変換部８１及びパターンテーブル８２を備える。
【００８２】
このＤＭＸ送信機３１は、各調光卓１１からのＤＭＸ信号が入力フレームバッファ６１の各バッファ領域６１ａ，６１ｂ，６１ｃに記憶されて１フレーム分の記憶完了する度に、パターン変換部８１により、入力フレームバッファ６１に記憶されたＤＭＸフレームを読み出す。
【００８３】
送信側パターンテーブルであるパターンテーブル８２は、頻度の高いＤＭＸフレームのデータパターンと、当該データパターンを一意に特定する識別子とを対にして複数登録したテーブルデータである。このパターンテーブル８２は、例えば照明機器１の制御内容に対応したデータパターンのうち、調光卓１１で生成される頻度が高いデータパターンを優先的に登録している。
【００８４】
パターン変換部８１は、入力フレームバッファ６１からＤＭＸフレームを読み出すと、当該ＤＭＸフレームのデータパターンと合致するデータパターンがパターンテーブル８２に登録されているかを検索して、合致するデータパターンが存在するか否かを判定する。
【００８５】
パターンテーブル８２に合致するデータパターンが存在する場合には、パターン変換部８１は、合致したデータパターンを一意に特定する識別子に、当該データパターンと一致したＤＭＸ信号がどの調光卓１１から送出されたのかを示す調光卓情報と、データが識別子であることを示す送信データ情報とをヘッダ情報として付加してＬＡＮ送信バッファ４４に書き込む。これに対し、パターン変換部８１は、合致するデータパターンが存在しない場合には、ＤＭＸフレームに、データの送信元を示す調光卓１１を示す調光卓情報と、データがＤＭＸ信号であることを示す送信データ情報とをヘッダ情報として付加してＬＡＮ送信バッファ４４に書き込む。
【００８６】
ＬＡＮ送信部４５は、ＬＡＮ送信バッファ４４にＤＭＸフレームの書き込みがある度に、当該ＤＭＸフレームにＬＡＮ規格に準拠したヘッダ情報等を付加してＬＡＮフレームを作成して、ＬＡＮ信号線３２を介してＤＭＸ受信機３３に送信する。
【００８７】
このようにして、ＤＭＸ送信機３１から送信されたＬＡＮフレームは、図１０に示すＤＭＸ受信機３３で受信される。ＤＭＸ受信機３３は、ＬＡＮ受信部５１でＬＡＮフレームを受信すると、当該ＬＡＮフレームを一旦ＬＡＮ受信バッファ５２に記憶させる度に、パターン再変換部９１で取り出される。
【００８８】
ＤＭＸ受信機３３の受信側パターンテーブルであるパターンテーブル９２は、ＤＭＸ送信機３１のパターンテーブル９２と同一のテーブルデータであって、ＤＭＸフレームのデータパターンと、それを一意に特定する識別子とを対にして複数登録したテーブルデータが記憶されている。
【００８９】
パターン再変換部９１は、ＬＡＮ受信バッファ５２にＬＡＮフレームが記憶完了する度に、当該ＬＡＮフレームのデータ部分に格納されているヘッダ情報を取り出す。これにより、パターン再変換部９１は、送信データ情報から、送信されたデータが識別子を示していることを検出した場合には、当該データ部分に格納された識別子を用いて、パターンテーブル９２を検索し、識別子に対応するデータパターンをコピーする。そして、パターン再変換部９１は、コピーしたデータパターンを、ヘッダ情報として付加された調光卓情報が示す調光卓１１に対応したＤＭＸフレームバッファ５４に上書きする。
【００９０】
また、パターン再変換部９１は、送信データ情報から、送信されたデータがＤＭＸフレームそのものを示していることを検出した場合には、ＤＭＸフレームを、ヘッダ情報として付加された調光卓情報が示す調光卓１１に対応したＤＭＸフレームバッファ５４に上書きをする。
【００９１】
そして、ＤＭＸ受信機３３は、出力データ作成部５６により、ＤＭＸフレームバッファ５４が更新される度に、新たに書き込まれたＤＭＸフレームをＤＭＸフレームバッファ５４から読み出して合成処理を行って、ＤＭＸ出力フレームをＤＭＸ出力バッファ５７に書き込み、ＤＭＸ出力部５８により、何れかのＤＭＸ信号線１４を介して照明機器１に送出される。
【００９２】
［第５実施形態の効果］
以上詳細に説明したように、本発明を適用した調光制御システムによれば、ＤＭＸ送信機３１及びＤＭＸ受信機３３に同一内容のデータパターンと識別子とを対応させたテーブルデータを備え、調光卓１１から送出されたＤＭＸフレームと同一のデータパターンがある場合には識別子のみを送受信するので、ＤＭＸ送信機３１からＤＭＸ受信機３３に送信する情報量を抑制することができ、ネットワークの伝送負担を軽減することができる。
【００９３】
［第６実施形態］
つぎに、本発明を適用した第６実施形態に係る調光制御システムについて説明する。なお、上述の実施形態と同様の部分については、同一符号を付することによりその詳細な説明を省略する。
【００９４】
この第６実施形態に係る調光制御システムは、図１１に示すように、ＤＭＸ送信機３１により、指定サイズ分のＤＭＸ信号を受信完了した時点でパターン変換部１０２による変換を行う点で、第５実施形態に係る調光制御システムとは異なる。
【００９５】
このような調光制御システムは、入力リングバッファ１０１に指定サイズ分のＤＭＸ信号を記憶完了すると、パターン変換部１０２により受信完了したＤＭＸ信号を読み出し、当該ＤＭＸ信号のデータパターンと合致するデータパターンが存在するかをパターンテーブル１０３から検索する。ここで、パターンテーブル１０３は、頻度の高い指定サイズ分のＤＭＸ信号のデータパターンと、当該データパターンを一意に特定する識別子とを対にして複数登録したテーブルデータである。
【００９６】
パターンテーブル１０３に合致するデータパターンが存在する場合、パターン変換部１０２は、合致したデータパターンを一意に特定する識別子に、当該データパターンと一致したＤＭＸ信号が、どの調光卓１１から送出されたのかを示す調光卓情報、データが識別子であることを示す送信データ情報及びチャンネルオフセット位置を示す情報をヘッダ情報として付加してＬＡＮ送信バッファ４４に書き込む。
【００９７】
これに対し、パターン変換部１０２は、合致するデータパターンが存在しない場合、ＤＭＸ信号に、データの送信元を示す調光卓１１を示す調光卓情報、データがＤＭＸ信号であることを示す送信データ情報及びチャンネルオフセット位置を示す情報をヘッダ情報として付加してＬＡＮ送信バッファ４４に書き込む。
【００９８】
また、パターン変換部１０２は、データを識別子として送信する場合と、ＤＭＸ信号そのものとして送信する場合とで異なるチャンネルオフセット位置を更新する。
【００９９】
ＬＡＮ送信部４５は、ＬＡＮ送信バッファ４４にＤＭＸ信号の書き込みがある度に、当該ＤＭＸフレームにＬＡＮ規格に準拠したヘッダ情報等を付加してＬＡＮフレームを作成して、ＬＡＮ信号線３２を介してＤＭＸ受信機３３に送信する。
【０１００】
このようにして、ＤＭＸ送信機３１から送信されたＬＡＮフレームは、図１０に示したＤＭＸ受信機３３で受信される。ＤＭＸ受信機３３は、ＬＡＮ受信部５１でＬＡＮフレームを受信すると、当該ＬＡＮフレームを一旦ＬＡＮ受信バッファ５２に格納される度に、パターン再変換部９１で取り出される。
【０１０１】
ＤＭＸ受信機３３のパターンテーブル９２は、ＤＭＸ送信機３１のパターンテーブル１０３と同様のテーブルデータであって、指定サイズ分のＤＭＸ信号のデータパターンと、それを一意に特定する識別子とを対にして複数登録したテーブルデータが記憶されている。
【０１０２】
パターン再変換部９１は、ＬＡＮ受信バッファ５２にＬＡＮフレームが記憶完了する度に、送信データ情報から、送信されたデータが識別子を示していることを検出した場合には、当該データ部分に格納された識別子を用いてパターンテーブル９２を検索し、識別子に対応するデータパターンを取得する。そして、パターン再変換部９１は、取得したデータパターンを、ヘッダ情報として付加された調光卓情報が示す調光卓１１に対応したＤＭＸフレームバッファ５４に、チャンネルオフセット位置に従って上書きする。
【０１０３】
また、パターン再変換部９１は、送信データ情報から、送信されたデータがＤＭＸ信号そのものを示していることを検出した場合には、ＤＭＸ信号を、ヘッダ情報として付加された調光卓情報が示す調光卓１１に対応したＤＭＸフレームバッファ５４に、チャンネルオフセット位置に従って上書きをする。
【０１０４】
そして、ＤＭＸ受信機３３は、出力データ作成部５６により、ＤＭＸフレームバッファ５４が更新される度に、新たに書き込まれたＤＭＸ信号をＤＭＸフレームバッファ５４から読み出して合成処理を行って、ＤＭＸ出力フレームをＤＭＸ出力バッファ５７に書き込み、ＤＭＸ出力部５８により、何れかのＤＭＸ信号線１４を介して照明機器１に送出される。
【０１０５】
［第６実施形態の効果］
以上詳細に説明したように、第６実施形態に係る調光制御システムによれば、調光卓１１から送出された指定サイズ分のＤＭＸ信号と同一のデータパターンがある場合には識別子のみを送受信するので、ＤＭＸ送信機３１からＤＭＸ受信機３３に送信する情報量を抑制することができ、ネットワークの伝送負担を軽減することができることに加えて、調光卓１１でＤＭＸ信号を生成してから、ＤＭＸ送信機３１で合成処理を開始するまでの遅延時間を短縮することができる。
【０１０６】
［第７実施形態］
第７実施形態に係る調光制御システムは、第５実施形態及び第６実施形態において、ＤＭＸ送信機３１のパターンテーブル及びＤＭＸ受信機３３のパターンテーブルを、データパターンの検出回数に応じて自動的に更新することを特徴とするものである。
【０１０７】
この調光制御システムは、例えばパターン変換部又はパターン再変換部により、一定時間内における検出回数が多いＤＭＸ信号を優先的に保持し、データパターンとして自動的に登録するようにする。このとき、検出回数は、カウンタによってカウントするようにする。
【０１０８】
これにより、送信側及び受信側のパターンテーブル内のデータパターンのうち、検出回数の多いデータパターンが優先的に残るように、ほぼリアルタイムで更新されていき、パターンテーブルで入力したＤＭＸ信号と登録したデータパターンとが合致する率を向上させる。したがって、この調光制御システムによれば、伝送するＬＡＮフレームのデータ量を大幅に低減させることができ、ネットワークへの負荷をさらに軽減させることができる。また、データパターンが自動的に作成されるため、あらかじめデータパターンを作成する手間を省くことができる。
【０１０９】
［第８実施形態］
第８実施形態に係る調光制御システムは、第５実施形態及び第６実施形態において、ＤＭＸ送信機３１のパターンテーブル及びＤＭＸ受信機３３のパターンテーブルを、ＤＭＸ信号との合致時刻に応じて自動的に更新することを特徴とするものである。
【０１１０】
この調光制御システムは、例えばパターン変換部又はパターン再変換部により、入力したＤＭＸ信号と登録されたデータパターンとが合致したと判定した場合に、パターンテーブルにデータパターンに対応付けて記憶されたタイムスタンプが示す合致時刻を更新する。
【０１１１】
そして、調光制御システムは、各データパターンに与えられたタイムスタンプを参照して、最近に合致したＤＭＸ信号から優先的に保持し、データパターンとして自動的に登録するようにする。
【０１１２】
これにより、送信側及び受信側のパターンテーブル内のデータパターンが、タイムスタンプの最も遅いデータパターン、つまり、直前に合致したデータパターンから順に残るように、ほぼリアルタイムで更新されていき、パターンテーブルで入力したＤＭＸ信号と登録したデータパターンとが合致する率を向上させる。したがって、この調光制御システムによれば、伝送するＬＡＮフレームのデータ量を大幅に低減させることができ、ネットワークへの負荷をさらに軽減させることができる。また、データパターンが自動的に作成されるため、あらかじめデータパターンを作成する手間を省くことができる。
【０１１３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【０１１４】
【図１】本発明を適用した第１実施形態に係る調光制御システムの構成について説明するためのブロック図である。
【図２】本発明を適用した第１実施形態に係る調光制御システムにおけるＤＭＸパッチ盤の構成を示すブロック図である。
【図３】入力リングバッファに記憶された指定サイズ分のＤＭＸ信号を、フレームバッファに記憶する処理を説明するための図である。
【図４】本発明を適用した第２実施形態に係る調光制御システムの構成について説明するためのブロック図である。
【図５】本発明を適用した第２実施形態に係る調光制御システムにおけるＤＭＸ送信機の構成を示すブロック図である。
【図６】本発明を適用した第２実施形態に係る調光制御システムにおけるＤＭＸ受信機の構成を示すブロック図である。
【図７】本発明を適用した第３実施形態に係る調光制御システムにおけるＤＭＸ送信機の構成を示すブロック図である。
【図８】本発明を適用した第４実施形態に係る調光制御システムにおけるＤＭＸ送信機の構成を示すブロック図である。
【図９】本発明を適用した第５実施形態に係る調光制御システムにおけるＤＭＸ送信機の構成を示すブロック図である。
【図１０】本発明を適用した第５実施形態に係る調光制御システムにおけるＤＭＸ受信機の構成を示すブロック図である。
【図１１】本発明を適用した第６実施形態に係る調光制御システムにおけるＤＭＸ送信機の構成を示すブロック図である。
【符号の説明】
【０１１５】
１  照明機器
１１  調光卓
１２  ＤＭＸパッチ盤
１３，１４  ＤＭＸ信号線
２１  入力部
２２，４２，７１，１０１  入力リングバッファ
２３  フレーム更新部
２４  フレームバッファ
２５，５５  設定データ部
２６  出力データ生成部
２７  出力バッファ
２８  出力部
３１  ＤＭＸ送信機
３２  ＬＡＮ信号線
３３  ＤＭＸ受信機
４１  ＤＭＸ入力部
４３  変換部
４４  ＬＡＮ送信バッファ
４５  ＬＡＮ送信部
５１  ＬＡＮ受信部
５２  受信バッファ
５２  ＬＡＮ受信バッファ
５３  再変換部
５４  ＤＭＸフレームバッファ
５６  出力データ作成部
５７  ＤＭＸ出力バッファ
５８  ＤＭＸ出力部
６１  入力フレームバッファ
６２，７２  比較部
６３  比較フレームバッファ
７２  比較部
７３  比較バッファ
８１，１０１  パターン変換部
８２，１０３  パターンテーブル
９１  パターン再変換部
９２  パターンテーブル
【図１】
2005216516.tif 000003
【図２】
2005216516.tif 000004
【図３】
2005216516.tif 000005
【図４】
2005216516.tif 000006
【図５】
2005216516.tif 000007
【図６】
2005216516.tif 000008
【図７】
2005216516.tif 000009
【図８】
2005216516.tif 000010
【図９】
2005216516.tif 000011
【図１０】
2005216516.tif 000012
【図１１】
2005216516.tif 000013